(57)【要約】【課題】スタビライザ支持装置３において、スタビライザ２にこじり力が作用した場合に、ブッシュ４の軸方向一端側または他端側が外側へ逃げないようにするとともに、当該ブッシュ４の軸方向一端側または他端側とブラケット５のアーチ２１との間に隙間ができないようにする。【解決手段】スタビライザ支持装置３は、ブッシュ１０と、ブラケット２０と、を備えている。ブッシュ１０の軸方向一端側および他端側には、軸方向中間領域よりも外径寸法が小さくされた小径部１３が設けられている。ブラケット２０は、アーチ２１と、取付片２２とを有する。アーチ２１の軸方向一端側および他端側には、径方向内向きに延出するフランジ２１ｂが設けられている。フランジ２１ｂの内周面はブッシュ１０の小径部１３の外周面に接触されている。【選択図】図１
2019073157.tif 000002
【特許請求の範囲】
【請求項１】
車体にスタビライザを支持するためのスタビライザ支持装置であって、
前記スタビライザに嵌着される筒状のブッシュと、このブッシュを前記車体に押し付けるようにして前記車体にボルト留めされるブラケットと、を備え、
前記ブッシュの軸方向一端側および他端側には、軸方向中間領域よりも外径寸法が小さくされた小径部が設けられており、
前記ブラケットは、前記ブッシュの外周面に覆い被せられるアーチと、このアーチの周方向一端側および他端側に連接されかつ前記車体に面接触されるとともに前記ボルトの挿通孔が設けられている取付片と、を有し、
前記アーチの軸方向一端側および他端側には、径方向内向きに延出するフランジが設けられており、このフランジの内周面が前記ブッシュの小径部の外周面に接触されている、ことを特徴とするスタビライザ支持装置。
【発明の詳細な説明】
【技術分野】
【０００１】
本発明は、スタビライザ支持装置に関する。
【背景技術】
【０００２】
例えば特許文献１，２に示すように、車体のロール角を小さくするためのスタビライザは、左右のサスペンション装置を連結するトーションバーからなり、その両端部分がブッシュおよびブラケットを介して車体に支持されるようになっている。
【０００３】
例えば特許文献１，２では、スタビライザの外周にブッシュを嵌着し、このブッシュを覆うようにブラケットを取り付け、このブラケットの取付片を車体にボルト留めするようになっている。
【０００４】
なお、前記ブラケットのアーチにおける軸方向両端寄りの二ヶ所には、径方向外向きに突出する突条部が設けられることにより、前記アーチの全体が軸方向に波打つような形状になっている。また、前記ブッシュは、その外周面が前記ブラケットのアーチの内周面に倣った形状に弾性変形して密着するようになっている。
【先行技術文献】
【特許文献】
【０００５】
【特許文献１】特許第４８９０３７１号公報
【特許文献２】特許第６１７６１９６号公報
【発明の概要】
【発明が解決しようとする課題】
【０００６】
上記特許文献１，２では、前記スタビライザにこじり力が作用した場合に、前記ブッシュが弾性変形することにより当該ブッシュの軸方向一端側または他端側が外側へ逃げるとともに、当該ブッシュの軸方向一端側または他端側と前記ブラケットのアーチとの間に隙間が生じる可能性が高くなる。
【０００７】
前記のようなブッシュの逃げが発生すると、当該ブッシュからの反力が低下し、スタビライザの効率が低下することが懸念される。また、前記のような隙間が発生すると、当該隙間に例えば砂や泥水などの異物が入りやすくなって、異音が発生しやすくなることが懸念される。
【０００８】
このような事情に鑑み、本発明は、スタビライザ支持装置において、スタビライザにこじり力が作用した場合に、ブッシュの軸方向一端側または他端側が外側へ逃げないようにするとともに、当該ブッシュの軸方向一端側または他端側とブラケットのアーチとの間に隙間ができないようにすることを目的としている。
【課題を解決するための手段】
【０００９】
本発明は、車体にスタビライザを支持するためのスタビライザ支持装置であって、前記スタビライザに嵌着される筒状のブッシュと、このブッシュを前記車体に押し付けるようにして前記車体にボルト留めされるブラケットと、を備え、前記ブッシュの軸方向一端側および他端側には、軸方向中間領域よりも外径寸法が小さくされた小径部が設けられており、前記ブラケットは、前記ブッシュの外周面に覆い被せられるアーチと、このアーチの周方向一端側および他端側に連接されかつ前記車体に面接触されるとともに前記ボルトの挿通孔が設けられている取付片と、を有し、前記アーチの軸方向一端側および他端側には、径方向内向きに延出するフランジが設けられており、このフランジの内周面が前記ブッシュの小径部の外周面に接触されている、ことを特徴としている。
【００１０】
この構成では、前記スタビライザにこじり力が作用した場合に、前記ブッシュが弾性変形するものの、当該ブッシュの軸方向一端側または他端側の小径部と前記ブラケットのアーチのフランジとが密着するようになる。
【００１１】
この状態では、前記アーチのフランジによって、前記ブッシュの軸方向一端側または他端側が外側へ逃げることが阻止されるので、前記ブッシュからの反力が低下せずに済むなど、当該ブッシュの特性が可及的に高められることになる。
【００１２】
また、前記ブッシュの軸方向一端側または他端側とブラケットのアーチとの間に隙間ができなくなるので、前記ブッシュと前記ブラケットのアーチとの間に例えば砂や泥水などの異物が入ることを防止できるようになる。
【発明の効果】
【００１３】
本発明に係るスタビライザ支持装置によれば、ブッシュの特性が可及的に高められることに伴い前記スタビライザの効率を向上させるうえで有利になるとともに、前記ブッシュと前記ブラケットのアーチとの間に例えば砂や泥水などの異物が入ることを防止できることに伴い異音の発生を抑制または防止するうえで有利になる。
【図面の簡単な説明】
【００１４】
【図１】本発明に係るスタビライザ支持装置の一実施形態を示す断面図で、図６の（１）−（１）線断面を矢印方向から見た図に対応している。
【図２】図１の一点鎖線で囲んだ領域を拡大して示す図である。
【図３】図１のスタビライザ支持装置の使用状態を示す斜視図である。
【図４】図３の正面図である。
【図５】図３の下面図である。
【図６】ブラケットの単体を示す側面図である。
【図７】ブッシュの単体を示す側面図である。
【発明を実施するための形態】
【００１５】
以下、本発明を実施するための最良の実施形態について添付図面を参照して詳細に説明する。
【００１６】
図１から図７に本発明の一実施形態を示している。図中、１は車体、２はスタビライザ、３はスタビライザ支持装置を示している。
【００１７】
スタビライザ２は、車体１左右のサスペンション（図示省略）を連結するものであって、詳細に図示していないが、車体１の幅方向に向けて配置される直線形状のトーションバー部分と、このトーションバー部分の両端部分が車体１の前後方向に延びるように屈曲されてなるアーム部分とを備えている。前記両アーム部分が前記左右のサスペンションに連結される。
【００１８】
このスタビライザ２は、例えばコーナリング走行中などにおいて不図示の左右車輪が逆相にストロークするとき、前記両アーム部分の上下方向の相対変位によって前記トーションバー部分が捩られて、車体１のロール角を小さくする方向の捩れ反力を発生する。
【００１９】
スタビライザ支持装置３は、スタビライザ２の前記トーションバー部分の長手方向に離隔した二ヶ所を車体１に支持するものであって、ブッシュ１０、ブラケット２０などを備えている。
【００２０】
ブッシュ１０は、筒状に形成されており、その中心孔にスタビライザ２のトーションバー部分が挿通されるようになっている。なお、ブッシュ１０の円周方向の所定領域は車体１に面接触するように平坦面１１とされている。
【００２１】
このブッシュ１０は、その全体がゴムなどの弾性材で形成されていて、円周１ヶ所が分離されている（図７の分離線１６参照）。
【００２２】
また、ブッシュ１０の内部には、インターリング１２が埋設されている。インターリング１２の円周数ヶ所には貫通孔１２ａが設けられている。
【００２３】
このようにインターリング１２に貫通孔１２ａを設けているのは、ブッシュ１０の成形時に金型にインターリング１２をインサートするので、前記金型に溶融状態の前記弾性材を注入する際の流動性を良好とするためである。
【００２４】
また、インターリング１２の軸方向両端には、当該インターリング１２を前記金型にインサートする際に位置決めするために、突起１２ｂが設けられている。
【００２５】
さらに、ブッシュ１０の軸方向一端側および他端側には、小径部１３が設けられている。両方の小径部１３は、ブッシュ１０の軸方向中間領域よりも外径寸法が小さくされている。両方の小径部１３よりも軸方向内側には、径方向外向きに隆起する突条部１４が設けられている。この突条部１４は、山形状に形成されている。
【００２６】
ブラケット２０は、アーチ２１、一対の取付片２２、補強リブ２３を有する。このブラケット２０は、例えばアルミニウム合金で鋳造することにより製作される。
【００２７】
アーチ２１は、側面視でほぼＵ字形に湾曲する形状とされており、ブッシュ１０の外周に覆い被される。このアーチ２１の軸方向中間領域には、径方向内向きに陥没する陥没部２１ａが設けられており、アーチ２１の軸方向一端側および他端側には、径方向内向きに延出するフランジ２１ｂが設けられている。
【００２８】
陥没部２１ａの底面における軸方向中間領域には、径方向内向きに張り出す張り出し部２１ｃが設けられている。この張り出し部２１ｃがブッシュ１０の軸方向中間領域に接触されるようになっていて、フランジ２１ｂの内周面がブッシュ１０の小径部１３の外周面に接触されるようになっている。
【００２９】
一対の取付片２２は、アーチ２１の周方向一端側および他端側に連接された平面視矩形の平板とされており、車体１に面接触された状態でボルト３０により留められる。一対の取付片２２には、ボルト３０が挿通される挿通孔２２ａが設けられている。挿通孔２２ａは取付片２２の板厚方向に貫通するように設けられている。
【００３０】
補強リブ２３は、アーチ２１から一対の取付片２２にかけて一体に設けられており、ブラケット２０全体の剛性を高めるために設けられている。
【００３１】
そして、図２に示すように、ブッシュ１０において小径部１３から立ち上がり壁面１５に至る入隅部分、およびブッシュ１０において前記立ち上がり壁面１５から突条部１４に至る角部は、それぞれ曲面形状に形成されている。
【００３２】
一方、ブラケット２０のフランジ２１ｂの内端（張り出し方向先端）の内側角部、およびブラケット２０においてフランジ２１ｂの内端から陥没部２１ａの内周面に至る入隅部分は、それぞれ曲面形状に形成されている。
【００３３】
これにより、スタビライザ２にこじり力が作用する場合に、ブッシュ１０が弾性変形することによりブラケット２０に面で圧接するようになってエッジ当たりしなくなるので、ブラケット２０がブッシュ１０を攻撃せずに済むようになる。これにより、ブッシュ１０の耐久性を向上するうえで有利になる。
【００３４】
なお、この実施形態では、ブラケット２０のアーチ２１の周方向中間に、不図示の他部品をボルト留めするための台座２４および雌ねじ穴２５が設けられている。
【００３５】
上述したような構成のスタビライザ支持装置３でもってスタビライザ２を車体１に取り付ける場合、スタビライザ２にブッシュ１０を嵌着し、このブッシュ１０にブラケット２０のアーチ２１を嵌め合わせてから、例えば図３に示すように、ブラケット２０の両取付片２２を車体１にボルト３０で留める。これにより、ブッシュ１０が若干弾性変形した状態で当該ブッシュ１０の平坦面１１が車体１に押し付けられることになる。
【００３６】
そして、このように取り付けた状態において、スタビライザ２にこじり力が作用した場合には、ブッシュ１０が弾性変形するものの、このブッシュ１０の軸方向一端側または他端側の小径部１３とブラケット２０のアーチ２１のフランジ２１ｂとが密着させられることになる。
【００３７】
この状態では、アーチ２１のフランジ２１ｂによって、ブッシュ１０の軸方向一端側または他端側が外側へ逃げることが阻止されるので、ブッシュ１０からの反力が低下せずに済むなど、当該ブッシュ１０の特性を可及的に高めることができる。その結果、スタビライザ２の効率を向上させるうえで有利になる。
【００３８】
また、ブッシュ１０の軸方向一端側または他端側とブラケット２０のアーチ２１との間に隙間ができなくなるので、ブッシュ１０とブラケット２０のアーチ２１との間に例えば砂や泥水などの異物が入ることを防止できるようになる。その結果、異音の発生を抑制または防止するうえで有利になる。
【００３９】
以上説明したように本発明を適用した実施形態のスタビライザ支持装置３によれば、スタビライザ２の効率を向上できるとともに、異音の発生を抑制または防止できるなどの優れた効果が得られる。
【００４０】
なお、本発明は、上記実施形態のみに限定されるものではなく、特許請求の範囲内および当該範囲と均等の範囲内で適宜に変更することが可能である。
【００４１】
（１）上記実施形態では、ブラケット２０に台座２４および雌ねじ穴２５を設けた例を挙げているが、本発明はこれのみに限定されるものではなく、例えばブラケット２０に台座２４および雌ねじ穴２５を設けていないものも本発明に含まれる。
【００４２】
（２）上記実施形態では、ブッシュ１０にインターリング１２を設けた例を挙げているが、本発明はこれのみに限定されるものではなく、例えばブッシュ１０にインターリング１２を設けていないものも本発明に含まれる。
【００４３】
（３）上記実施形態では、ブラケット２０をアルミニウム合金で鋳造することにより製作する例を挙げているが、本発明はこれのみに限定されるものではない。
【００４４】
前記ブラケット２０は例えば鉄系金属でもよく、また、例えば絞り成形などで製作することが可能である。
【産業上の利用可能性】
【００４５】
本発明は、車体にスタビライザを支持するためのスタビライザ支持装置に好適に利用することが可能である。
【符号の説明】
【００４６】
１  車体
２  スタビライザ
３  スタビライザ支持装置
１０  ブッシュ
１２  インターリング
１３  小径部
１４  突条部
１５  立ち上がり壁面
２０  ブラケット
２１  アーチ
２１ａ  陥没部
２１ｂ  フランジ
２１ｃ  張り出し部
２２  取付片
２２ａ  挿通孔
３０  ボルト
【図１】
2019073157.tif 000003
【図２】
2019073157.tif 000004
【図３】
2019073157.tif 000005
【図４】
2019073157.tif 000006
【図５】
2019073157.tif 000007
【図６】
2019073157.tif 000008
【図７】
2019073157.tif 000009